(57)【要約】      （修正有）【課題】持ち運び可能であって、水平な天板を有する卓上面に設置することで、適度に傾斜した作業面を容易に得ることが可能な移動式卓上設置台を提供する。【解決手段】移動式卓上設置台１００は、持ち運び可能であって、水平な上面１１２を備える卓１１０の上面に載置可能であり、第一端部１２と、第一端部に対向する第二端部１４と、略平坦な主面１７と、主面に対向する裏面１８と、を有する天板１０と、裏面１８と上面１１２との間で天板を支持可能なつっかい部２０と、を有し、上面１１２に対し第一端部１２を直接または間接に当接させるとともに第二端部１４を第一端部より上方に位置せしめた状態で、天板を支持することで、天板の主面１７が所定の角度Ａに傾斜維持される。【選択図】図１
0003205550.tif 000002
【実用新案登録請求の範囲】
【請求項１】
持ち運び可能であって、水平な上面を備える卓の当該上面に載置可能な移動式卓上設置台であり、
第一端部と、前記第一端部に対向する第二端部と、略平坦な主面と、前記主面に対向する裏面と、を有する天板と、
前記裏面と前記上面との間でつっかいにより当該天板を支持可能なつっかい部と、を有し、
前記上面に対し第一端部を直接または間接に当接させるとともに前記第二端部を前記第一端部より上方に位置せしめた状態で、前記つっかい部により前記天板を支持させることで、前記上面に対し前記天板の主面を所定の角度に傾斜させた状態が維持されることを特徴とする移動式卓上設置台。
【請求項２】
前記裏面に対し、前記つっかい部の上端部を回動可能に接続する接続部を有し、
前記接続部の動作により、
前記裏面と前記つっかい部とを添わせてなる閉状態と、
前記裏面と前記つっかい部とを前記閉状態よりも離間させてなる開状態と、に変更可能である請求項１に記載の移動式卓上設置台。
【請求項３】
前記接続部が、トルクヒンジを用いて構成されている請求項２に記載の移動式卓所設置台。
【請求項４】
前記主面側の第一端部に幅方向に延在する凸部を有する請求項１から３のいずれか一項に記載の移動式卓上設置台。
【請求項５】
前記主面の幅方向の中心より右端縁側または左端縁側の少なくとも一方において幅方向に延在する所定長さの棚部が設けられている請求項１から４のいずれか一項に記載の移動式卓上設置台。
【請求項６】
前記天板が、厚み方向の中間部または前記裏面側に強磁性体層を有する請求項１から５のいずれか一項に記載の移動式卓上設置台。
【請求項７】
前記天板および前記つっかい部を支持する支持部を有し、
前記支持部に対し、前記天板の前記第一端部が回動可能に接続されているとともに、以下の第一態様または第二態様である請求項１に記載の移動式卓上設置台、
前記第一態様は、前記つっかい部の上端部が、前記天板の前記裏面に対し回動可能に接続されているとともに、前記つっかい部の下端部と前記支持部に設けられた第一係合部とが取り外し可能に係合する、
前記第二態様は、前記つっかい部の下端部が、前記支持部に回動可能に接続されているとともに、前記つっかい部の上端部と前記裏面に設けられた第二係合部とが取り外し可能に係合する。
【請求項８】
前記第一態様において、前記第一係合部が前後方向において複数設けられているか、または、
前記第二態様において、前記第二係合部が前後方向において複数設けられており、
前記第一係合部または前記第二係合部と、前記支持部との係合箇所を変更することで、前記上面に対する前記天板の傾斜角度を変更する請求項７に記載の移動式卓上設置台。
【請求項９】
前記支持部が、前記天板の外縁と略同一の外縁を有する枠体であるとともに、厚みが、前記つっかい部の厚み以上であり、
前記つっかい部の前記第一係合部に対する係合を外し前記天板に対し沿う方向に前記つっかい部を回動させ、または、
前記つっかい部の前記第二係合部に対する係合を外し前記支持部に対し沿う方向に前記つっかい部を回動させたときに、
前記つっかい部が前記枠体の内部に収納される請求項７または８に記載の移動式卓上設置台。
【考案の詳細な説明】
【技術分野】
【０００１】
本考案は、移動可能な卓上設置台に関し、詳しくは、持ち運びができ、学習机やダイニングテーブルなどの水平な卓上面に設置して適度に傾斜する傾斜面を容易に提供することができる移動式卓上設置台に関する。
【背景技術】
【０００２】
一般的に、学習机、事務机、またはダイニングテーブル等の机は、天板の上面が水平に構成されている。このようなタイプの机で読み書きなどの作業を行うと、上半身が前のめりになり易く、作業者の姿勢が悪くなるという問題があった。
【０００３】
これに対し、天板の角度を調整可能に構成された机が提案されている。たとえば、下記特許文献１には、脚部材と、該脚部材の上部に固設した上板と、該上板の上部で、かつ、該上板の着座者側端部を軸に回動可能に設けた天板と、着座者側と反対側に、上記上板に対して起立状態と収納状態とに変化可能に設けられたフラップ部材とを有するデスクが開示されている。このデスクは、フラップ部材が収納状態のときよりも起立状態のときに、天板の傾斜角度が増すように構成されている。適度に傾斜した天板で読み書き等の作業を行う場合、作業者は前のめりになり難く、自然と正しい姿勢をとることができる。
【先行技術文献】
【特許文献】
【０００４】
【特許文献１】特開２０１５−２３１４８８号公報
【考案の概要】
【考案が解決しようとする課題】
【０００５】
しかしながら特許文献１に開示されるデスクのように、天板の傾斜角度を変更する機構を備えたデスクは、構造が複雑であり、通常の机と比較して製造コストが高い。また昨今、子供は自分の学習机を持っている場合であっても、ダイニングテーブルで学習する傾向にある。ダイニングテーブルで学習する場合、家族が近くにいるため子供は適度な緊張感を維持することができるとともに、わからないことが生じた場合には、すぐに家族に質問できるなどのメリットがあり、学習効果の向上も認められている。しかしながらこのように学習場所をダイニングテーブルなどの任意の机に移動した場合、結局、水平な卓上面で学習することになり、学習時の姿勢不良という問題が従来と同様に発生する。
【０００６】
本考案は上述のような課題に鑑みてなされたものである。即ち、本考案は、持ち運び可能であって、水平な天板を有する卓上面に設置することで、適度に傾斜した作業面を容易に提供することが可能な移動式卓上設置台を提供するものである。
【課題を解決するための手段】
【０００７】
本考案の移動式卓上設置台は、持ち運び可能であって、水平な上面を備える卓の当該上面に載置可能な移動式卓上設置台であり、第一端部と、上記第一端部に対向する第二端部と、略平坦な主面と、上記主面に対向する裏面と、を有する天板と、上記裏面と上記上面との間でつっかいにより当該天板を支持可能なつっかい部と、を有し、上記上面に対し第一端部を直接または間接に当接させるとともに上記第二端部を上記第一端部より上方に位置せしめた状態で、上記つっかい部により上記天板を支持させることで、上記上面に対し上記天板の主面を所定の角度に傾斜させた状態が維持されることを特徴とする。
【考案の効果】
【０００８】
本考案の移動式卓上設置台は、簡易な構造であって持ち運びができ、水平な天板を有する卓上面に設置することで、適度に傾斜した作業面を容易に提供することができる。
【図面の簡単な説明】
【０００９】
【図１】本考案の第一実施形態にかかる移動式卓上設置台の使用状態を示す側面図である。
【図２】（ａ）は、本考案の第一実施形態にかかる移動式卓上設置台の閉状態を示す側面図であり、（ｂ）は、本考案の第一実施形態にかかる移動式卓上設置台の閉状態における上面図である。
【図３】本考案の第二実施形態にかかる移動式卓上設置台の使用状態を示す斜視図である。
【図４】（ａ）は、本考案の第二実施形態にかかる移動式卓上設置台の開状態における側面図であり、（ｂ）は、閉状態における側面図である。
【図５】（ａ）は、本考案の第二実施形態の変形例にかかる移動式卓上設置台の開状態における側面図であり、（ｂ）は、閉状態における側面図である。
【考案を実施するための形態】
【００１０】
以下、本考案の実施形態について、図面を用いて説明する。すべての図面において、同様の構成要素には同一の符号を付し、重複する説明は適宜に省略する。
本考案の各種の構成要素は、個々に独立した存在である必要はなく、複数の構成要素が一個の部材として形成されていること、１つの構成要素が複数の部材で形成されていること、ある構成要素が他の構成要素の一部であること、ある構成要素の一部と他の構成要素の一部とが重複していること、等を許容する。図示する本考案の実施態様は、理解容易のために、特定の部材を全体において比較的大きく図示する場合、または小さく図示する場合などがあるが、いずれも本考案の各構成の寸法比率を何ら限定するものではない。
【００１１】
本考案または本明細書の記載に関し、特段の断りなく上下、左右、前後の方向をいう場合には、いずれも本考案の使用状態における方向を指し、上下方向は、任意の地点から天方向を上方向とし、上記天方向に対し相対的に下向きの方向を下方といい、左右方向および前後方向は、使用状態にある本考案に対面する使用者からみた左右および前後の方向を指す。
本考案に関し、卓とは、学習机、ダイニングテーブル、または作業机などの一般的な机一般を広く包含する。
【００１２】
＜第一実施形態＞
以下に、本考案の移動式卓上設置台の第一実施形態について図１および図２を用いて説明する。図１は、本考案の第一実施形態にかかる移動式卓上設置台１００（以下、単に設置台１００ともいう）の使用状態を示す側面図である。上面１１２および脚部１１６を備える卓１１０の上面１１２に設置台１００が設置されるとともに、椅子１２０に腰かけた使用者１３０が設置台１００の主面１７で書き作業を行っている状態を示している。図２（ａ）は、設置台１００の閉状態を示す側面図であり、図２（ｂ）は、設置台１００の閉状態における上面図である。
【００１３】
はじめに、本実施形態の移動式卓上設置台１００の概要について説明する。
移動式卓上設置台１００は、持ち運び可能であって、図１に示すとおり、水平な上面１１２を備える卓１１０の当該上面１１２に載置可能であり、天板１０と、つっかい部２０とを有している。天板１０は、第一端部１２と、第一端部１２に対向する第二端部１４と、略平坦な主面１７と、主面１７に対向する裏面１８と、を有している。つっかい部２０は、天板１０の裏面１８と卓１１０の上面１１２との間でつっかいにより当該天板１０を支持可能である。設置台１００は、上面１１２に対し第一端部１２を直接または間接に当接させるとともに第二端部１４を第一端部１２より上方に位置せしめた状態で、つっかい部２０により天板１０を支持させることで、上面１１２に対し天板１０の主面１７を所定の角度Ａに傾斜させた状態（使用状態）が維持される。
【００１４】
以上の構成を有する設置台１００は、非常に簡易な構造であって持ち運びができ、任意の卓１１０の上面１１２に設置するだけで使用状態が実現でき、適度に傾斜した作業面を容易に提供することができる。即ち、設置台１００は、従来の天板の傾斜を変更する機構を有する机に比べ、はるかに低価格で適度に傾斜した作業面を提供することができる。その上、学習机やダイニングテーブルなど作業場所の候補が複数あって当該作業場所が変更された場合でも、使用者１３０は、設置台１００を持ち運び、変更された作業場所（任意の卓１１０の上面１１２）に設置台１００を設置するだけで、適度に傾斜した作業面で読み書きなどの作業を行うことができる。適度に傾斜した作業面で作業する使用者１３０は、前かがみになり難く、上半身から下腹部にかけて緩やかなＳ字カーブＰを維持しやすい。そのため設置台１００を使用する使用者１３０は、姿勢不良になることで健康を害し、また目に負担をかけることなく読み書きなどの作業を行うことができる。
【００１５】
次に、本実施形態の設置台１００の構成について詳細に説明する。
天板１０は、使用者１３０側の端部である第一端部１２と、第一端部１２に対向する第二端部１４と、略平坦な主面１７と、主面１７に対向する裏面１８と、を有している。主面１７とは、設置台１００が使用状態にあるとき、使用者が作業を行う側の面をいう。主面１７は、作業者１３０の作業が行い易いように略平坦に構成されている。略平坦とは、主として平坦だが、任意の領域に凹凸などの非平坦部分を踏んでいてもよいことを意味している。本実施形態では裏面１８も略平坦に構成されているが、裏面１８は必ずしも平坦である必要はない。
【００１６】
本実施形態の天板１０は、板状部材から構成されており、形状は限定されないが、例えば四角形である。上記板状部材としては、無垢材または加工板状部材などを挙げることができる。加工板状部材としては、たとえば突板合板またはプリント化粧合板などの合板部材または樹脂製ボードなどを挙げることができる。また天板１０は、質感や強度を重視する場合には、ソリッド構造の板状部材（中実板状部材）を採用するとよく、たとえば、無垢材、無垢集成材、突板合板、配向性ストランドボードなどが例示される。また軽量化を図り持ち運び容易性を重視する場合には、フラッシュ構造の板状部材（中空板状部材）を採用するとよく、たとえば、芯材にハニカムメッシュ構造を有し両面に薄い合板を張り付けてなる中空芯構造の合板を挙げることができる。
【００１７】
本実施形態、主面１７側の第一端部１２に幅方向（左右方向）に延在する凸部４０が設けられている。凸部４０は、主面１７の法線方向に対し、僅かに（例えば数ｍｍから数セｃｍ程度）突出する部分である。使用者１３０の肘が凸部４０にかかることによって、傾斜する主面１７から腕がずり落ちることが防止されるため、正しい姿勢で長時間の作業が可能である。
本発明の使用において、理想的なＳ字カーブＰを実現するためには、第一端部１２を卓１１０の上面１１２の手前側端縁に寄せることが推奨される。しかし長時間作業する使用者１３０は、傾斜する主面１７から腕がずり落ちることを防ぐために、設置台１００を卓１１０のやや奥側に設置して、設置台１００の第一端部１２と卓１１０の手前側端縁との間に露出した上面１１２の水平部（図示せず）に肘をつく場合があることがわかった。かかる設置態様では、上半身が前かがみになり理想的なＳ字カーブＰが得られない場合がある。これに対し凸部４０を設けることで、使用者１３０は、設置台１００の推奨される使用態様で無理なく長時間の作業を持続することが可能である。また凸部４０は、傾斜する主面１７において鉛筆や消しゴムなどの作業小物を置くこともでき、作業効率を上げることにも貢献する。
【００１８】
本実施形態における凸部４０は、主面１７を構成する天板本体１０１よりも厚みの大きい部材（肉厚部材）を第一端部１２に配置し、天板本体１０１と肉厚部材の裏面を略面一に揃えた状態で接合することによって形成されている。天板本体１０１と肉厚部材は、同様の材質のものであってもよいし、一方が合板で一方が無垢材であってもよく、一例は、天板本体１０１が合板ベタ芯にメラミンなどの樹脂製の化粧板が張り合わされた合板部材であり、肉厚部材がブナなどの無垢材から構成される。
また、図２（ｂ）に示すとおり、天板本体１０１の端面であって、上述する肉厚部材が配置されていない箇所には、適宜、テープ状の無垢材や合板部材などの修飾部材１０４を貼り付けて、端面がむき出しにならないようにするとよい。加えて主面１７には、適宜、滑り止め塗料を塗布することで上述する作業時の腕のずり落ちを防止することもできる。滑り止め塗料は、床面などに使用する従来公知の滑り止め塗料を適宜選択して使用することができる。
【００１９】
本実施形態にかかる設置台１００は、棚部５０を有している。棚部５０は、主面１７の幅方向の中心Ｍ（図２（ｂ）参照）より右端縁１６側または左端縁１５側の少なくとも一方において幅方向に延在する所定長さの棚である。棚部５０は、たとえば数ｍｍから数ｃｍの厚みであって所定長さの部材を主面１７の所定の箇所に接合することで形成される。また主面１７を構成する部材と一体的に棚部５０が形成されてもよい。本実施形態では具体的には、右ききの使用者１３０の筆記作業等の邪魔にならないよう主面１７の左端縁１５側に棚部５０が設けられている。傾斜する主面１７において、棚部５０に、紙、鉛筆または消しゴムなどの作業小物を置くことができ作業効率が上がる。
【００２０】
また図示省略するが、天板１０は、厚み方向の中間部または裏面１８側に強磁性体層を有していてもよい。たとえば、天体１０を構成する合板芯材と主面１７を剛性する化粧板や薄い合板の間に、薄い鉄板等の強磁性体からなる層または強磁性体材料を含む層を設けることで強磁性体層を構成することができる。強磁性体層は、天板１０の略全面に設けられてもよいし、一部領域に選択的に設けられてもよい。強磁性体層を有する天板１０は、主面１７の表面に当該強磁性体層と磁力により引き合う接合部材を着脱可能に接合させることができ、強磁性体層と接合部材との間に紙などを挟むバインダー機能を発揮することができる。
【００２１】
強磁性体層を構成する強磁性体としては、たとえば、鉄、コバルト、若しくはニッケルなどの金属単体、ステンレス、鉄ニッケル合金、若しくは鉄コバルト合金等の合金部材、または磁鉄鉱などの金属酸化物などの金属材料が挙げられる。この場合には、上記接合部材は磁石である。あるいは強磁性体層を磁石で構成してもよく、この場合には、上記接合部材は、上述金属材料を適宜用いることができる。
【００２２】
次につっかい部２０について説明する。つっかい部２０は、図１に示すとおり、裏面１８と上面１１２との間でつっかいにより天板１０を支持する部材である。本実施形態におけるつっかい部２０は、図２（ａ）（ｂ）に示すとおり、幅寸法が、天板１０の幅寸法以下の一枚の板状部材であるが、これに限定されず、たとえば複数の棒状部材を裏面１８に取り付けて、つっかい部２０としてもよい（図示省略）。
【００２３】
使用状態のつっかい部２０は、図１に示すとおり、主面１７の法線方向とは反対側の方向に向かって、裏面１８から延在する。設置台１００の使用状態において、板状部材であるつっかい部２０の法線方向と、主面１７の法線方向とが略直角となるよう互いが配置されており、主面１７にかかる作業者の力が良好につっかい部２０のつっかいによって受け止められるよう構成されている。
【００２４】
使用状態において、つっかい部２０に支持された天板１０は、上面１１２に対し、所定の角度Ａに傾斜する。角度Ａは限定されないが、作業者の姿勢を理想的なＳ字カーブＰとするという観点から、１０度以上３０度以下であることが好ましく、１６度以上２５度以下であることがより好ましく、１８度以上２０度以下であることがさらに好ましい。本実施形態では、使用状態において上面１１２に対するつっかい部２０の傾斜角度を固定して  いるため、角度Ａも一定の角度（例えば２０度）に固定されている。
【００２５】
本実施形態では、天板１０の第一端部１２側の端面および、つっかい部２０の下端部２４側の端面にウレタンゴムなどの弾性部材からなる凸状のクッション部１０６が複数設けられている（図２（ａ）（ｂ）参照）。これにより、使用状態における設置台１００の設置安定性が図られ、主面１７における作業性が向上する。
【００２６】
上述するつっかい部２０は、動作できないよう裏面１８に対し固定して連結されていてもよいが、裏面１８に対し、つっかい部２０の上端部２２を回動可能に接続する接続部（第一接続部３０）を設けてもよい。接続部（第一接続部３０）の動作により、裏面１８とつっかい部２０とを沿わせてなる閉状態（図２（ａ）参照）と、裏面１８とつっかい部２０とを閉状態よりも離間させてなる開状態（図１参照）と、に変更可能である。このように接続部（第一接続部３０）を設け、閉状態を可能とすることで、持ち運び性および収納性を向上させることができる。
【００２７】
本実施形態では接続部として蝶番である第一接続部３０が用いられており、裏面１８の所定の位置と、つっかい部２０の上端部２２とを上記蝶番で接続している。図２（ａ）に示すとおり、蝶番である第一接続部３０を動作させて、つっかい部２０の下端部２４を天板１０の第一端部１２側に倒し、つっかい部２０を裏面１８に沿わせることで閉状態が実施される。
【００２８】
第一接続部３０を構成する蝶番としては、たとえばトルクヒンジを用いるとよい。これにより閉状態にする際に、つっかい部２０が勢いよく裏面１８側に倒れ、つっかい部２０と裏面１８とに指などを挟むことが防止される。ここでトルクヒンジとは、ヒンジ軸に設定トルク以上のトルクが働かない限り、ヒンジ軸が回動しないよう構成された構造を有する蝶番を意味する。所謂、フリーストップヒンジを含む。
【００２９】
＜第二実施形態＞
以下に、本考案の第二実施形態にかかる移動式卓上設置台ついて図３から図５を用いて説明する。図３は、本考案の第二実施形態にかかる移動式卓上設置台２００（以下、単に設置台２００ともいう）の使用状態を示す斜視図である。図４（ａ）は、設置台２００の開状態における側面図であり、図４（ｂ）は、設置台２００の閉状態における側面図である。図５（ａ）は、本考案の第二実施形態の変形例にかかる移動式卓上設置台２０１（以下、設置台２０１ともいう）の開状態における側面図であり、図５（ｂ）は、設置台２０１の閉状態における側面図である。尚、図４（ｂ）は、第一係合部６２が図示省略され、図５（ｂ）は、第二係合部６４が図示省略されている。
【００３０】
設置台２００は、天板１０およびつっかい部２０を支持する支持部６０を有している点で、第一実施形態にかかる設置台１００とは異なっている。
設置台２００は、支持部６０に対し、天板１０の第一端部１２が回動可能に接続されているとともに、以下の第一態様または第二態様で構成されている。即ち、第一態様は、つっかい部２０の上端部２２が、天板１０の裏面１８に対し回動可能に接続されているとともに、つっかい部２０の下端部２４と支持部６０に設けられた第一係合部６２とが取り外し可能に係合する構成が採用される（図３、図４参照）。第二態様は、つっかい部２０の下端部２４が、支持部６０に回動可能に接続されているとともに、つっかい部２０の上端部２２と裏面１８に設けられた第二係合部６４とが取り外し可能に係合する構成が採用される（図５参照）。本実施形態では、第一態様に関し、図３および図４を用い、設置台２００を例に説明する。また第二態様は、図５を用い、本実施形態の変形例として設置台２０１を例に説明する。
【００３１】
支持部６０を有する設置台２００または設置台２０１は、天板１０およびつっかい部２０が支持部５０により支持されるため、卓１１０の上面１１２に設置されたときの設置安定性に優れる。本実施形態において、支持部６０は、中央が貫通する枠体１４０である。支持部６０を枠体１４０とすることで設置台２００の軽量化を図ることができる。枠体１４０は、たとえば四辺を有する四角形の枠である。ただし、第二実施形態において、支持部６０はこれに限定されず、たとえば、実質的に貫通孔を有しない一枚の板状部材であってもよいし、板状部材において上下方向に貫通する複数の貫通孔を有していてもよい。
【００３２】
以下、支持部６０として枠体１４０を用いた設置台２００について説明する。設置台２００は、支持部６０の手前側端部と、天板１０の第一端部１２側の端縁とが第二接続部１５０（たとえば蝶番など）で回動可能に接続されている。支持部６０を卓１１０の上面１１２に設置し、天板１０を支持部６０から離間させる方向に回動させて第二端部１４を第一端部１２よりも上方に位置せしめた状態で、つっかい部２０により天板１０を支持させることで、上面１１２に対し天板１０の主面１７を所定の角度Ａに傾斜させた状態（開状態、図３、図４（ａ）参照）が実現される。
設置台２００におけるつっかい部２０は、第一実施形態において説明した設置台１００と同様に、その上端が天板１０の裏面１８の所定の位置において第一接続部３０により接続されている。本実施形態における第一接続部３０および第二接続部１５０は、第一実施形態にかかる設置台１００の第一接続部３０と同様であるため、ここでは詳細な説明を割愛する。
【００３３】
開状態において、つっかい部２０の下端部２４は、支持部６０の所定の位置に設けられた係合部６２に係合することによって位置が固定されており、この結果、角度Ａに傾斜した天板１０の位置も固定されている。本実施形態における係合部６２は、支持部６０の所定の位置において形成された凹部であって、開状態において、当該凹部につっかい部２０の端部が嵌合されている。第一係合部６２は、つっかい部２０の下端部２４に対応し一か所であってもよいが、図３および図４に示すとおり、前後方向に複数の第一係合部６２を設けることで、第一係合部６２と、つっかい部２０の下端部２４との係合位置を前後方向に変更することができ、これにより上面１１２に対する天板１０の傾斜角度（角度Ａ）を変更することができる。枠体１４０である支持部６０において、第一係合部６２は、たとえば、枠体１４０の所定個所において少なくとも上面側において開口する切り欠き凹部であり、より具体的な例としては上面側から内周面側を切り欠いて形成された溝状の切り欠き凹部である。
【００３４】
枠体１４０である支持部６０を有する設置台２００は、図４に示すとおり、支持部６０の厚みｔ１を、つっかい部２０の厚みｔ２以上で構成することで、閉状態にしたとき枠体１４０の内部につっかい部２０を収納することが可能である。図４（ａ）に示す開状体から、つっかい部２０の第一係合部６２に対する係合を外し天板１０に対し沿う方向につっかい部２０を回動させることで、つっかい部２０が枠体１４０の内部に収納され得る（図４（ｂ）参照）。これにより、閉状態における設置台２００のコンパクト化し、持ち運び性および収納性の向上を図ることができる。
【００３５】
設置台２００において、つっかい部２０を枠体１４０の内部に収容するための具体的な態様の例はたとえば以下のとおりである。設置台２００におけるつっかい部２０は、下端部２４を除き、幅寸法（即ち、左右方向における寸法）が、枠体１４０の幅方向（即ち、左右方向）における内縁６７、６７間の距離以下である。一方、下端部２４は、上記内縁６７、６７間の距離を上回り、上記幅方向における外縁６６、６６間の距離未満である。即ち、つっかい部２０は、下端部２４において、左右方向に突出する幅広部２６を有している。
以上の構成によれば、図４（ａ）に示す開状態において、枠体１４０に設けられた切欠き凹部である第一係合部６２に、下端部２４を係合させることができる。
また枠体１４０には、第一係合部６２よりさらに手前側の所定の位置に幅広部２６を収容可能な凹部である収容部６８が設けられている。収容部６８は、第一係合部６２と同様に、枠体１４０の所定個所において少なくとも上面側に開口する切り欠き凹部である。これにより、図４（ｂ）に示す閉状態において、幅広部２６である下端部２４が収容部６８に収容されるとともに、幅広部２６より上部は枠体１４０の内縁６７の内側に収容される。しかも本実施形態における収容部６８は、枠体１４０の所定箇所において形成された、上面開口かつ有底の凹部である。かかる構造から、閉状態において収容部６８に収容された幅広部２６は、上記凹部の底と、天板１０の裏面１８とに挟まれ動作が規制され、結果として、つっかい部２０の回動動作が規制されるため、収納状態が安定である。
【００３６】
次に本実施形態に変形例である設置台２０１について図５を用いて説明する。設置台２０１は、上述する第二態様を示す例であり、つっかい部２０の下端部２４が、支持部６０に回動可能に接続されているとともに、つっかい部２０の上端部２２と裏面１８に設けられた第二係合部６４とが取り外し可能に係合するよう構成されている。設置台２０１に設けられた支持部６０は、設置台２００において説明した支持部６０と同様に枠体１４０であり、つっかい部２０の下端部２４は、枠体１４０の内縁６７（図３参照）間に位置した状態で、枠体１４０に軸受けされた軸１６０により回動可能に軸支されている。これにより、設置台２０１は、図５（ａ）に示すとおり、開状体が実現される。
【００３７】
設置台２０１において、裏面１８に設けられた第二係合部６４は、つっかい部２０の上端部２２に対応して一か所だけ設けられてもよいが、図５に示すように前後方向に複数設けられることで、第二係合部６４と支持部２０の上端部２２との係合箇所を変更し、上面１１２に対する天板１０の傾斜角度（角度Ａ）を変更することができる。
【００３８】
設置台２０１は、設置台２００と同様に、支持部６０の厚みｔ１が、つっかい部２０の厚みｔ２以上となるよう構成されている。また設置台２０１におけるつっかい部２０の上端部２２には、設置台２００におけるつっかい部２０の下端部２４と同様に幅広部２６が設けられているとともに、支持部６０には収容部６８が設けられている。これによって、図５（ｂ）に示すとおり、上端部２２の第二係合部６４に対する係合が外され支持部６０に対し沿う方向につっかい部２０を回動させたときに、幅広部２６が収容部６８に収容されるとともに、幅広部２６より下部が枠体１４０である支持部６０の内側に収容される。
【産業上の利用可能性】
【００３９】
本考案の移動式卓上設置台は、持ち運び可能であって簡易な構造の設置台であり、特定の机に限定されず、種々の机の上面に設置するだけで、望ましい傾斜面を提供することができ、使用者に正しい姿勢を促すことが可能である。本考案の設置台は、使用方法が簡易であり、使用者の年齢を問わず利用することができ、たとえば一家に一台、本考案の設置台を備えることで、家族で共有することができるとともに、学習机やダイニングテーブルなど、学習場所や作業場所の変更にも容易に対応することができる。前かがみの望ましくない姿勢で読み書きを続けた場合、内臓が圧迫されるとともに、脳への酸素の供給状態が悪くなり集中力が低下する傾向にあるが、本考案の設置台を使用することにより、任意の机において、理想的なＳ字カーブを維持することが可能であり、健康への配慮、学習効果の増大が期待される。また、図３に示すように、ダイニングテーブルなどの天板の上面１１２の面積が広い卓１１０において本考案の移動式卓上設置台を設置した場合には、周囲に上面１１２が露出しうるため、そのフラットなスペースを有効利用して、カップ１１８などの任意の物品を置くこともできる。
【００４０】
上記実施形態は、以下の技術思想を包含するものである。
（１）持ち運び可能であって、水平な上面を備える卓の当該上面に載置可能な移動式卓上設置台であり、
第一端部と、前記第一端部に対向する第二端部と、略平坦な主面と、前記主面に対向する裏面と、を有する天板と、
前記裏面と前記上面との間でつっかいにより当該天板を支持可能なつっかい部と、を有し、
前記上面に対し第一端部を直接または間接に当接させるとともに前記第二端部を前記第一端部より上方に位置せしめた状態で、前記つっかい部により前記天板を支持させることで、前記上面に対し前記天板の主面を所定の角度に傾斜させた状態が維持されることを特徴とする移動式卓上設置台。
（２）前記裏面に対し、前記つっかい部の上端部を回動可能に接続する接続部を有し、
前記接続部の動作により、
前記裏面と前記つっかい部とを添わせてなる閉状態と、
前記裏面と前記つっかい部とを前記閉状態よりも離間させてなる開状態と、に変更可能である上記（１）に記載の移動式卓上設置台。
（３）前記接続部が、トルクヒンジを用いて構成されている上記（２）に記載の移動式卓所設置台。
（４）前記主面側の第一端部に幅方向に延在する凸部を有する上記（１）から（３）のいずれか一項に記載の移動式卓上設置台。
（５）前記主面の幅方向の中心より右端縁側または左端縁側の少なくとも一方において幅方向に延在する所定長さの棚部が設けられている上記（１）から（４）のいずれか一項に記載の移動式卓上設置台。
（６）前記天板が、厚み方向の中間部または前記裏面側に強磁性体層を有する上記（１）から（５）のいずれか一項に記載の移動式卓上設置台。
（７）前記天板および前記つっかい部を支持する支持部を有し、
前記支持部に対し、前記天板の前記第一端部が回動可能に接続されているとともに、以下の第一態様または第二態様である上記（１）に記載の移動式卓上設置台、
前記第一態様は、前記つっかい部の上端部が、前記天板の前記裏面に対し回動可能に接続されているとともに、前記つっかい部の下端部と前記支持部に設けられた第一係合部とが取り外し可能に係合する、
前記第二態様は、前記つっかい部の下端部が、前記支持部に回動可能に接続されているとともに、前記つっかい部の上端部と前記裏面に設けられた第二係合部とが取り外し可能に係合する。
（８）前記第一態様において、前記第一係合部が前後方向において複数設けられているか、または、
前記第二態様において、前記第二係合部が前後方向において複数設けられており、
前記第一係合部または前記第二係合部と、前記支持部との係合箇所を変更することで、前記上面に対する前記天板の傾斜角度を変更する上記（７）に記載の移動式卓上設置台。
（９）前記支持部が、前記天板の外縁と略同一の外縁を有する枠体であるとともに、厚みが、前記つっかい部の厚み以上であり、
前記つっかい部の前記第一係合部に対する係合を外し前記天板に対し沿う方向に前記つっかい部を回動させ、または、
前記つっかい部の前記第二係合部に対する係合を外し前記支持部に対し沿う方向に前記つっかい部を回動させたときに、
前記つっかい部が前記枠体の内部に収納される上記（７）または（８）に記載の移動式卓上設置台。
【符号の説明】
【００４１】
天板１０
第一端部１２
第二端部１４
左端縁１５
右端縁１６
主面１７
裏面１８
つっかい部２０
上端部２２
下端部２４
幅広部２６
第一接続部３０
凸部４０
棚部５０
支持部６０
第一係合部６２
第二係合部６４
外縁６６
内縁６７
収容部６８
移動式卓上設置台１００、２００、２０１
天板本体１０１
修飾部材１０４
クッション部１０６
卓１１０
上面１１２
卓天板１１４
脚部１１６
カップ１１８
椅子１２０
作業者１３０
枠体１４０
第二接続部１５０
軸１６０
角度Ａ
中心Ｍ
Ｓ字カーブＰ
厚みｔ１、ｔ２
【図１】
0003205550.tif 000003
【図２】
0003205550.tif 000004
【図３】
0003205550.tif 000005
【図４】
0003205550.tif 000006
【図５】
0003205550.tif 000007